(57)【要約】【課題】電子内視鏡のモニタの表示画面のマスキングを被観察体の状態に合わせてコントロールする。【解決手段】ＣＣＤ２４から出力されるＲＧＢの画像信号に基づいて輝度信号、色差信号、同期信号の生成等を行う（Ｓ２００）。ＥＥＰＲＯＭのデータの読出しを行う（Ｓ２０２）。ＥＥＰＲＯＭのデータがマスキング設定データかチェックする（Ｓ２０４）。マスキング設定データの場合、当該データを同期制御回路２７に出力する（ステップＳ２０６）。同期制御回路からマスキングオン・オフの信号がマスク処理回路に適宜出力され、モニタの表示画面の周辺領域がマスキングされる。マスキング解除データの場合、当該データを同期制御回路に出力する（Ｓ２０８）。その結果、同期制御回路から、常時マスキングオフ信号がマスク処理回路に出力され、モニタの表示画面の周辺領域を含む全域に映像が表示される。【選択図】        図５
2005073708.tif 000002
【特許請求の範囲】
【請求項１】
被観察体の画像信号を輝度信号と色差信号に分離する第１の画像信号処理手段と、
前記輝度信号と前記色差信号に所定の画像処理を施す第２の画像信号処理手段と、
前記所定の画像処理が施された前記輝度信号と前記色差信号に基づいて被観察体の画像が再現されるモニタと、
前記モニタの前記被観察体の画像の表示領域における周辺部のマスキングの設定及び解除を制御するマスキング制御手段とを備えることを特徴とする電子内視鏡。
【請求項２】
前記マスキング制御手段は、
マスキングの設定及び解除を指示するマスキング情報を入力するためのマスキング情報入力手段と、
前記モニタに再現されたとき暗部として視認される、所定レベルの電圧値を有するマスク信号を生成するマスク信号生成手段と、
前記色差信号と共に前記第２の画像信号処理手段に出力される信号を、前記マスキング情報入力手段により入力される前記マスキング情報に基づいて、前記マスク信号と前記輝度信号の間で切り換える切換手段とを有することを特徴とする請求項１に記載の電子内視鏡。
【請求項３】
前記表示領域におけるマスキングされる前記周辺部の範囲が段階的に変化させられることを特徴とする請求項１または２のいずれかに記載の電子内視鏡。
【請求項４】
前記マスキング情報入力手段は、電子内視鏡のプロセッサに接続されたフットスイッチであることを特徴とする請求項２に記載の電子内視鏡。
【請求項５】
前記マスキング情報入力手段は、電子内視鏡のプロセッサに接続されたキーボードであることを特徴とする請求項２に記載の電子内視鏡。
【発明の詳細な説明】
【０００１】
【発明の属する技術分野】
本発明は、電子内視鏡のモニタに表示される画面の周辺部に施されるマスキングに関する。
【０００２】
【従来の技術】
従来、電子内視鏡システムにおいて、電子スコープで撮影された画像はプロセッサを介してモニタの画面上に表示される。電子スコープの先端に設けられた配光光学系を介して照明光が照射されると、照明された被観察体の光学像が電子スコープの先端に設けられた撮像光学系によりＣＣＤ等の撮像素子の受光面に結像させられる。この光学像はＣＣＤにより光電変換され、画像信号としてプロセッサに入力され、所定の画像処理が施される。画像処理が施された画像信号はモニタに出力され、その結果、モニタの画面上に撮影画像が再現される。
【０００３】
このような電子内視鏡システムでは、照明光を供給する光源や配光光学系の配光特性、更には配光レンズ固有の光学特性（コサインの４乗則）による周辺光量低下に起因して照明光の光量が均一とならないことがある。一般的に、照明光が照射される中央部近傍は光量が高く、周辺部は光量が低くなる傾向がある。その結果、モニタに再現される画像の中央部と周辺部との輝度の差が大きくなり、周辺部が不自然な暗部として再現されてしまう。そこで、このような暗部を隠し、よく見える部分のみがモニタ画面上に映し出されるよう、周辺部を隠す処理（マスキング）が行われる。
【０００４】
【発明が解決しようとする課題】
ところが、周辺部がマスキングされるため、モニタ画面で視認できる視野範囲は狭くなってしまう。その結果、食道のような細長い器官にスコープを挿入するときのように、スコープの先端を包囲する壁面の状況を常時、確認しなければならない場合には、スコープを器官内の深部へ進める作業がマスキングにより極めて困難になるという問題がある。
【０００５】
また、周辺部がマスキングされると、モニタを介して周辺部分の光量分布を把握することができないため、配光光学系の設計工程においてレンズ評価を正確に行うことができないという問題もある。
【０００６】
本発明は以上の問題を解決するものであり、モニタ画面の機動性を向上させ、被観察体の状況に応じた画面表示を実現することを目的としている。
【０００７】
【課題を解決するための手段】
本発明に係る電子内視鏡は、被観察体の画像信号を輝度信号と色差信号に分離する第１の画像信号処理手段と、輝度信号と色差信号に所定の画像処理を施す第２の画像信号処理手段と、所定の画像処理が施された輝度信号と色差信号に基づいて被観察体の画像が再現されるモニタと、モニタの被観察体の画像の表示領域における周辺部のマスキングの設定及び解除を制御するマスキング制御手段とを備えることを特徴とする。
【０００８】
好ましくは、マスキング制御手段は、マスキングの設定及び解除を指示するマスキング情報を入力するためのマスキング情報入力手段と、モニタに再現されたとき暗部として視認される、所定レベルの電圧値を有するマスク信号を生成するマスク信号生成手段と、色差信号と共に第２の画像信号処理手段に出力される信号を、マスキング情報入力手段により入力されるマスキング情報に基づいて、マスク信号と輝度信号の間で切り換える切換手段とを有する。
【０００９】
モニタの被観察体の画像の表示領域におけるマスキングされる周辺部の範囲は、例えば段階的に変化させられる。
【００１０】
マスキング情報入力手段は、例えば、電子内視鏡のプロセッサに接続されたフットスイッチ、若しくはキーボードである。
【００１１】
【発明の実施の形態】
以下、本発明の実施の形態を図面を参照して説明する。
図１は、本発明に係る第１実施形態が適用される電子内視鏡のブロック図である。プロセッサ１０にはスコープ２０が接続され、プロセッサ１０においてスコープ２０から伝送される画像信号に所定の画像処理が施される。プロセッサ１０にはモニタ３０が接続されており、所定の画像処理が施された画像信号に基づいて被観察体像がモニタ３０に再現される。
【００１２】
スコープ２０のＣＰＵ２１はスコープ２０全体を制御する中央演算処理装置である。タイミング発生器２２では、ＣＣＤ駆動タイミング信号、画像処理駆動信号、垂直同期信号及び水平同期信号が所定のタイミングで生成される。ＣＣＤ駆動タイミング信号、画像処理駆動信号は、それぞれＣＣＤ駆動回路２３、信号処理回路２５に出力され、垂直同期信号及び水平同期信号は、同期制御回路２７に入力される。
【００１３】
ＣＣＤ駆動回路２３では、タイミング発生器２２から入力されるＣＣＤ駆動タイミング信号に基づいてＣＣＤ駆動信号が生成され、ＣＣＤ２４に出力される。ＣＣＤ２４はこのＣＣＤ駆動信号に基づいて駆動される。ＣＣＤ２４の受光面には、スコープ２０の挿入部先端に設けられる撮影光学系（図示せず）により被観察体の光学像が結像される。ＣＣＤ駆動回路２３からＣＣＤ駆動信号が入力されると、ＣＣＤ２４において被観察体の光学像が光電変換され、ＲＧＢ各色のアナログ信号がそれぞれのメモリ（図示せず）に格納される。
【００１４】
信号処理回路２５では、タイミング発生器２２から入力される画像処理駆動信号に基づいて上述の各メモリからＲＧＢアナログ信号を同期をとって読み出され、同期信号（プロセッサ１０でビデオ信号のうちの同期信号成分を生成するための水平・垂直重畳信号）、色差信号、輝度信号が生成される。同期信号と色差信号はそのままプロセッサ１０に伝送される。輝度信号はマスク処理回路２６に入力される。
【００１５】
プロセッサ１０にはキーボード１１及びフットスイッチ１２が接続されている。第１実施形態では、キーボード１１で所定のキー入力をすることにより、モニタ３０の表示画面におけるマスキングの設定及び解除が行われる。キーボード１１の操作に応じてマスキングの設定・解除を示す制御信号がプロセッサ１０に入力されると、この制御信号は、プロセッサ１０とＣＰＵ２１との間のＩ／Ｏ通信によりＣＰＵ２１に伝送される。
【００１６】
プロセッサ１０から伝送されるマスキングの制御信号は、ＣＰＵ２１の制御に基づいてマスキングデータとしてＥＥＰＲＯＭ２８に一旦格納される。ＥＥＰＲＯＭ２８に格納されたマスキングデータは、ＣＰＵ２１により読み出され、同期制御回路２７に出力される。
【００１７】
同期制御回路２７では、マスキングデータに基づいて、マスクオン信号及びマスクオフ信号をマスク処理回路２６に出力する。マスクオン信号の電圧値はハイ、マスクオフ信号の電圧値はオフである。マスク処理回路２６では、同期制御回路２７から入力されるマスクオン信号・マスクオフ信号に基づいて、プロセッサ１０に出力する輝度信号が制御される。
【００１８】
図２にマスク処理回路２６の構成を示す。スイッチＳＷは、同期制御回路２７の出力信号がハイのとき、すなわちマスクオン信号のときオンし、ローのとき、すなわちマスクオフ信号のときオフするよう構成される。スイッチＳＷがオンすると、信号をプロセッサ１０（図１参照）へ伝送するためのラインＬ１が所定の電圧が印加された可変抵抗ＶＲと結線され、信号処理回路２５から出力される輝度信号はプロセッサ１０へは伝送されず、プロセッサ１０において輝度成分が除かれた状態で画像処理が行われる。その結果、モニタ３０（図１参照）の表示画面において対応する画素が黒く表示される。尚、可変抵抗ＶＲを用いているため、スイッチＳＷがオンしたときラインＬ１へ印加されるアナログ電圧値が調節される。従って、モニタ３０におけるマスクの暗さの程度を調節することができる。
【００１９】
スイッチＳＷがオフすると、信号処理回路２５から出力される輝度信号をマスク処理回路２６へ入力するためのラインＬ２がラインＬ１と結線される。その結果、同期信号、色差信号と共に輝度信号がプロセッサ１０へ伝送される。従って、モニタ３０の表示画面において対応する画素に相当する領域に映像が表示される。
【００２０】
ここで、図３を参照しながら同期制御回路２７におけるマスクオン信号・マスクオフ信号の生成について説明する。図３は、モニタ３０の表示画面Ｄを示す図であり、斜線を施した部分がマスキングの設定の際マスクされるマスク領域Ｍ１０である。符号Ｓ１で代表的に示す走査線に対応する映像信号において、水平同期信号の後から所定数のクロックパルス分の領域Ａ１１が表示画面Ｄ上の左端部のマスク部分、それに続く所定数のクロックパルス分の領域Ａ１２が画像表示部分、それに続く所定数のクロックパルス分の領域Ａ１３が表示画面Ｄ上の右端部のマスク部分である。
【００２１】
ＥＥＰＲＯＭ２８に格納されたマスキングデータがマスキングの設定を示すマスキング設定データである場合、同期制御回路２７では、走査線Ｓ１に対応する映像信号の生成において、スタートから領域Ａ１１におけるクロックパルスの数をカウントし、その間はマスクオン信号をマスク処理回路２６に出力する。続いて領域Ａ１２におけるクロックパルスの数をカウントし、その間はマスクオフ信号をマスク処理回路２６に出力する。続いて領域Ａ１３におけるクロックパルスの数をカウントし、その間はマスクオン信号をマスク処理回路２６に出力する。
【００２２】
符号Ｓ２で示される走査線は全領域がマスキングされる。すなわち、走査線Ｓ２の水平走査期間においては、常時、マスクオン信号がマスク処理回路２６に出力される。
【００２３】
一方、ＥＥＰＲＯＭ２８に格納されたマスキングデータがマスキングの解除を示すマスキング解除データである場合、全走査線の水平走査期間において、常時、マスクオフ信号がマスク処理回路２６に出力される。従って、図３に示すマスク領域Ｍ１０にも映像が表示される。
【００２４】
尚、タイミング発生器２２におけるＣＣＤ駆動タイミング信号、水平同期信号及び垂直同期信号の生成、信号処理回路における輝度信号の分離生成、同期制御回路２７におけるクロックパルスのカウントの開始は、ＣＰＵ２１の制御に基づいて同期をとって行われる。従って、ＥＥＰＲＯＭ２８のマスキングデータがマスキングの設定の場合、上述の領域Ａ１１及びＡ１３におけるマスクオン、領域Ａ１２におけるマスクオフの制御が正確に行われる。
【００２５】
ここで、第１実施形態におけるマスキングの制御について図４〜６を参照しながら説明する。図４はプロセッサ１０における割込み処理の手順を示すフローチャートである。プロセッサ１０では、スコープ２０から出力される色差信号、輝度信号に対して、Ａ／Ｄ変換、ガンマ補正、シェーディング補正、Ｄ／Ａ変換等の一連の映像処理が行われる（ステップＳ１００）。また、キーボード１１からの入力の有無が常時、チェックされる（ステップＳ１０２）。キーボード１１からの入力が確認されると、ステップＳ１０４に進む。ステップＳ１０４では、キーボード１１による入力内容に応じて、マスキングの設定・解除を示す制御信号がスコープ２０のＣＰＵ２１へ伝送される。キーボード１１からの入力が無い間はステップＳ１０１の映像処理が繰り返し実行される。
【００２６】
図５は、スコープ２０のＣＰＵ２１における処理手順を示すフローチャートである。ステップＳ２００において、ＣＣＤ２４から出力されるＲＧＢの画像信号に基づいて輝度信号、色差信号、同期信号の生成等が行われる。次いでステップＳ２０２へ進み、ＥＥＰＲＯＭ２８に格納されているデータの読出が行われる。ステップＳ２０４では、ＥＥＰＲＯＭ２８から読み出されたデータがマスキング設定データかチェックされる。マスキング設定データであることが確認されたらステップＳ２０６へ進み、マスキング設定データを同期制御回路２７に出力する。その結果、モニタ３０の表示画面の周辺領域Ｍ１０（図３参照）にマスキングを施すべく、同期制御回路２７からマスキングオン信号・マスキングオフ信号が上述の態様でマスク処理回路２６に出力される。
【００２７】
一方、マスキング解除データの存在が確認されたらステップＳ２０８へ進み、マスキング解除データを同期制御回路２７に出力する。その結果、同期制御回路２７から、常時、マスキングオフ信号がマスク処理回路２６に出力される。従って、モニタ３０の表示画面の周辺領域Ｍ１０を構成する画素についても輝度信号がモニタ３０に出力され、周辺領域Ｍ１０も含めて映像が表示される。
【００２８】
ステップＳ２０２で読み出されるデータのＥＥＰＲＯＭ２８への書込みは、プロセッサ１０からのＩ／Ｏ通信による割り込み処理により行われる。図６は、スコープ２０において、プロセッサ１０からのＩ／Ｏ通信（割込処理）があった場合の処理手順を示すフローチャートである。ステップＳ３００において、プロセッサ１０からの通信が確認されたら、ステップＳ３０２へ進む。ステップＳ３０２では、プロセッサ１０から伝送されたきた制御信号がマスキングの設定・解除を示す制御信号かチェックされる。マスキングの設定を示す制御信号であることが確認されたら、ステップＳ３０４へ進み、マスキング設定データをＥＥＰＲＯＭ２８に格納する。また、マスキングの解除を示す制御信号であることが確認されたら、ステップＳ３０６へ進み、マスキング解除データをＥＥＰＲＯＭ２８に格納する。これらのマスキングに関するデータがＥＥＰＲＯＭ２８に格納されたら、本ルーチンは終了する。
【００２９】
以上のように本実施形態によれば、マスキングの設定及び解除がキーボード１１での入力により制御される。換言すれば、操作者の意のままに制御される。従って、空間的な広がりをもつ消化器内を観察する場合は、マスキングを設定することにより、モニタに再現される画像の周辺部の不自然に光量の低い部分を隠して視認性を向上させることができ、相対的に径の細い消化管に挿入する場合は、マスキングを解除することによりスコープ先端部の周辺の状況を確認することが可能となる。また、マスキングの解除することにより周辺部もモニタ３０上に再現されるため、スコープの製造工程における撮影光学系のレンズ評価を正確に行うことが可能となる。
【００３０】
また、本実施形態によれば、マスキングの設定・解除はＥＥＰＲＯＭ２８に格納されたデータに応じて決定される。すなわち、電子内視鏡の電源をオフしても、マスキングに関するデータはそのまま維持される。従って、電子内視鏡の電源を投入すれば、前回の使用時のマスキングモードで電子内視鏡を使用することができる。
【００３１】
第１実施形態は、キーボード１１の入力に応じてマスキングがコントロールされるが、キーボード１１に替えてフットスイッチ１２（図１参照）の操作に応じてマスキングをコントロールしてもよい。すなわち、モニタ３０の画面の周辺領域Ｍ１０がマスキングされた状態でフットスイッチ１２を踏むとマスキングが解除され、周辺領域Ｍがマスキングされていない状態でフットスイッチ１２を踏むとマスキングが施される、というように構成してもよい。尚、フットスイッチ１２の操作に伴う割込処理は、上述のキーボード１１の入力に伴う割込処理と同様に行われる。
【００３２】
次に、図７を参照しながら本発明に係る第２実施形態について説明する。尚、第２実施形態が適用される電子内視鏡のシステム構成及び回路構成は、図１及び２に示す第１実施形態のものと同様である。図７は、モニタ３０の表示画面Ｄを示す図である。第２実施形態では、表示画面Ｄにおいてマスキングされる周辺領域の範囲を複数の段階で変化させることができる。すなわち、線Ｍ２１と表示画面Ｄの縁部Ｍ２０で囲まれる領域をマスキングする小レベル、線Ｍ２２と縁部Ｍ２０で囲まれる領域をマスキングする中レベル、線Ｍ２３と縁部Ｍ２０で囲まれる領域をマスキングする大レベル、及び表示画面Ｄの全領域に映像を表示させるマスキングオフレベルの４段階でマスキングが制御される。マスキングの制御は、プロセッサ１０に接続されるフットスイッチ１２（図１参照）を踏むことにより行われる。尚、第２実施形態では、マスキングレベルのデフォルトは上述の大レベルとする。
【００３３】
図８は、第２実施形態が適用されるプロセッサ１０における割込み処理の処理手順を示すフローチャートである。
プロセッサ１０では、スコープ２０から出力される色差信号、輝度信号に対して、Ａ／Ｄ変換、ガンマ補正、Ｄ／Ａ変換等の一連の映像処理が行われる（ステップＳ４００）。また、フットスイッチ１２からの入力の有無が常時、チェックされる（ステップＳ４０２）。フットスイッチ１２からの入力が確認されるとステップＳ４０４に進む。ステップＳ４０４では、フットスイッチ１２が踏まれた回数に応じて、マスキングの領域の設定若しくは解除を示す制御信号を生成するサブルーチンが実行される。
【００３４】
図９は、ステップＳ４０４で実行されるサブルーチンの処理手順を示すフローチャートである。ステップＳ５００において、フットスイッチ１２が踏まれた回数を計測するためのカウンタの値が「１」インクリメントされる。次いで、ステップＳ５０２〜Ｓ５１６において、カウンタの値がチェックされ、モニタ３０の表示画面Ｄにおいてマスクされる周辺領域の範囲を指定するための信号（マスキング指定信号）が生成される。カウンタの値が「１」のとき（ステップＳ５０２でＹＥＳ）、ステップＳ５０４へ進み、マスクされる周辺領域の範囲が中レベルであることを示すマスキング指定信号が生成される。カウンタの値が「２」のとき（ステップＳ５０６でＹＥＳ）、ステップＳ５０８へ進み、マスクされる周辺領域の範囲が小レベルであることを示すマスキング指定信号が生成される。カウンタの値が「３」のとき（ステップＳ５１０でＹＥＳ）、ステップＳ５１２へ進み、マスキング解除を示すマスキング指定信号が生成される。カウンタの値が「４」のとき（ステップＳ５１４でＹＥＳ）、ステップＳ５１６へ進み、大レベルであることを示すマスキング指定信号が生成され、かつカウンタに「０」がセットされクリアされる。
【００３５】
ステップＳ５０４、Ｓ５０８、Ｓ５１２、若しくはＳ５１６でマスキング指定信号が生成されると本ルーチンは終了する。また、カウンタの値が「１」〜「４」のいずれでもないとき（ステップＳ５１４でＮＯ）、所定のエラー処理がステップＳ５１８で実行され、本ルーチンは終了する。
【００３６】
マスク制御信号生成ルーチンが終了すると、図８のステップＳ４０４へ戻り、次いでステップＳ４０６へ進む。ステップＳ４０６では、プロセッサ１０とスコープ２０のＣＰＵ２１との間のＩ／Ｏ通信が実行され、ステップＳ４０４で生成されたマスキング指定信号はＣＰＵ２１に伝送される。
【００３７】
第１実施形態と同様、スコープ２０では、伝送されてきたマスキング制御信号に対応するマスキングデータが図６のフローチャートと同様の手順でＥＥＰＲＯＭ２８に格納される。尚、第２実施形態においては、図６のステップＳ３０４に相当する処理において、上述のマスキングの大レベル、中レベル、小レベルに対応するデータがＥＥＰＲＯＭ２８に格納される。
【００３８】
また、ＣＰＵ２１における処理は、図５のフローチャートと同様の手順で行われる。図５のステップＳ２０６に相当する処理において、同期制御回路２７における上述のクロックパルスのカウントは、以下に述べるように、ＥＥＰＲＯＭ２８から読み出されるマスキングデータに対応して行われる。
【００３９】
マスキングデータが小レベルのマスキングを示すデータの場合、図７の走査線Ｓ３に対応する映像信号の生成において、スタートから領域Ａ２１（表示画面Ｄの左端部においてＭ２０からＭ２１までの領域）におけるクロックパルスの数をカウントし、その間はマスクオンの制御信号をマスク処理回路２６に出力する。続いて領域Ａ２２におけるクロックパルスの数をカウントし、その間はマスクオフの制御信号をマスク処理回路２６に出力する。続いて領域Ａ２３（表示画面Ｄの右端部においてＭ２１からＭ２０までの領域）におけるクロックパルスの数をカウントし、その間はマスクオンの制御信号をマスク処理回路２６に出力する。
【００４０】
マスキングデータが中レベルのマスキングを示すデータの場合、走査線Ｓ３に対応する映像信号の生成において、スタートから領域Ａ３１（表示画面Ｄの左端部においてＭ２０からＭ２２までの領域）におけるクロックパルスの数をカウントし、その間はマスクオンの制御信号をマスク処理回路２６に出力する。続いて領域Ａ３２におけるクロックパルスの数をカウントし、その間はマスクオフの制御信号をマスク処理回路２６に出力する。続いて領域Ａ３３（表示画面Ｄの右端部においてＭ２２からＭ２０までの領域）におけるクロックパルスの数をカウントし、その間はマスクオンの制御信号をマスク処理回路２６に出力する。
【００４１】
マスキングデータが大レベルのマスキングを示すデータの場合、走査線Ｓ３に対応する映像信号の生成において、スタートから領域Ａ４１（表示画面Ｄの左端部においてＭ２０からＭ２３までの領域）におけるクロックパルスの数をカウントし、その間はマスクオンの制御信号をマスク処理回路２６に出力する。続いて領域Ａ４２におけるクロックパルスの数をカウントし、その間はマスクオフの制御信号をマスク処理回路２６に出力する。続いて領域Ａ４３（表示画面Ｄの右端部においてＭ２３からＭ２０までの領域）におけるクロックパルスの数をカウントし、その間はマスクオンの制御信号をマスク処理回路２６に出力する。
【００４２】
同期制御回路２７において、このようなクロックパルスのカウント、およびマスクオン・マスクオフの制御信号の出力を行うことにより、表示画面Ｄの周辺部のマスキングの範囲を段階的に変化させることができる。
【００４３】
第２実施形態では、フットスイッチ１２を押す回数に応じて、小レベル、中レベル、大レベル、マスク無しの４つのレベルがサイクリックに変遷するよう構成されているがこれに限るものではない。キーボード１１でコマンドを入力させ、そのコマンド内容によってモードが変更されるよう構成されてもよい。また、マスクレベルは上述の４段階に限られるものではなく、マスキングされる領域をより細かく変化させてもよい。
【００４４】
【発明の効果】
以上のように、本発明によれば、モニタの表示画面の表示部分の周辺領域のマスキングの設定・解除が操作者の意のままに制御される。従って、被観察体の光量の状態に応じて、適切な映像をモニタの表示画面に表示させることができる。また、マスキングを解除すれば、スコープの製造工程における光学系の性能評価も適切に行うことができる。
【図面の簡単な説明】
【図１】本発明に係る第１実施形態が適用される電子内視鏡のブロック図である。
【図２】マスク処理回路の回路構成を示す図である。
【図３】モニタの表示画面及びそのマスキング領域を示す図である。
【図４】第１実施形態のプロセッサにおける割込み処理の手順を示すフローチャートである。
【図５】第１実施形態のスコープにおける処理手順を示すフローチャートである。
【図６】スコープにおいて、プロセッサからのＩ／Ｏ通信があった場合の処理手順を示すフローチャートである。
【図７】本発明に係る第２実施形態が適用されるモニタの表示画面とそのマスキング領域を示す図である。
【図８】第２実施形態のプロセッサにおける割込み処理の処理手順を示すフローチャートである。
【図９】フットスイッチが踏まれた回数に応じて、マスキングの領域の設定若しくは解除を示す制御信号を生成するサブルーチンの処理手順を示すフローチャートである。
【符号の説明】
１０  プロセッサ
１１  キーボード
１２  フットスイッチ
２０  スコープ
２１  ＣＰＵ
２２  タイミング発生器
２３  ＣＣＤ駆動回路
２４  ＣＣＤ
２５  信号処理回路
２６  マスク処理回路
２７  同期制御回路
２８  ＥＥＰＲＯＭ
【図１】
2005073708.tif 000003
【図２】
2005073708.tif 000004
【図３】
2005073708.tif 000005
【図４】
2005073708.tif 000006
【図５】
2005073708.tif 000007
【図６】
2005073708.tif 000008
【図７】
2005073708.tif 000009
【図８】
2005073708.tif 000010
【図９】
2005073708.tif 000011